(57)【要約】【課題】厚い液晶ギャップの液晶パネルの最適化駆動方法の提供。【解決手段】液晶パネルのコモン電極駆動に応用され、周期調整或いはグレーレベル調整可能な第２種直流或いは交流電源を液晶パネルのコモン電極に印加して駆動し、コモン電圧のフローティング因子を最小として信号変換を不要とし、且つデータ信号にＴＦＴ型データドライバを通過させることで、液晶パネル中のアルミ金属層と電極間の作業関数（ｗｏｒｋ  ｆｕｎｃｔｉｏｎ）を平穏に近づけてちらつき等の画像品質問題の因子を回避する。【選択図】図５
2008158525.tif 000002
【特許請求の範囲】
【請求項１】
液晶パネルの最適化駆動方法において、
（ａ）液晶パネルのコモン電極端に第１種の基本駆動信号を入力するステップであり、すなわち、厚い液晶セルギャップの液晶パネルのコモン電極に第１種基本駆動信号を入力するステップ、
（ｂ）液晶パネルのコモン電極に周期調整或いはグレーレベル調整可能な第２種の電源を入力するステップであり、すなわち、（ａ）のステップのコモン電極に第２種電源を入力し、この第２種電源は周期調整或いはグレーレベル調整可能な電源とするステップ、
（ｃ）データ信号にＴＦＴ型データドライバを通過させるステップであり、すなわち、（ａ）のステップの厚い液晶セルギャップの液晶パネルのデータ信号にＴＦＴ型データドライバを通過させるステップ、
を包含したことを特徴とする、液晶パネルの最適化駆動方法。
【請求項２】
請求項１記載の液晶パネルの最適化駆動方法において、（ｂ）のステップ中の第２種電源は周期調整或いはグレーレベル調整可能な交流電源とする、液晶パネルの最適化駆動方法。
【請求項３】
請求項１記載の液晶パネルの最適化駆動方法において、（ｂ）のステップ中の第２種電源は周期調整或いはグレーレベル調整可能な直流電源とする、液晶パネルの最適化駆動方法。
【発明の詳細な説明】
【技術分野】
【０００１】
本発明は一種の方法に係り、特に、液晶厚が厚い液晶パネルのコモン電極、及び周期調整及びグレーレベル調整可能な第２種直流或いは交流電源をコモン電極に印加して液晶パネルの画像表示品質を最適化する駆動方法に関する。
【背景技術】
【０００２】
液晶は広く使用されているディスプレイ製品の材料であり、液晶は電圧を両面電極に印加することにより光を通過−非通過の作用を形成する。通常、周知の液晶層は二つの電極の間の厚さが非常に薄く、例えば、ＴＦＴ型液晶ディスプレイでは、厚さが６から８μｍであり、ＴＮ或いはＳＴＮ型液晶パネルの液晶層とギャップは１０μｍ以下である。ＬＣＯＳマイクロディスプレイの液晶層の平均厚さは３から５μｍ程度である。
【０００３】
周知の比較的厚さの薄い液晶パネルの最適化駆動方法の駆動特性は以下のようである。
１．最も基本的な要求：比較的高い透過率、適当な液晶厚さとダブル屈折率（位相遅延作用＝ｄ△Ｎ）が、ＬＣＤパネル装置に最大の光使用率を獲得させるために必要であり、薄い液晶層は比較的高い光使用率を発生可能である。
２．液晶分子の上昇と下降の周期時間が比較的短い反応時間を必要とし、薄い液晶ギャップは、低電圧駆動液晶に使用できる。低電圧駆動液晶は、電力消耗が低く、並びに電子制御回路の設計が容易である。
３．液晶セルギャップは通常ギャップ粒子を使用することで均一に維持される。セルギャップは広く液晶ディスプレイ産業に採用されている。比較的小さいギャップ粒子は製造工程中で獲得及び掌握しやすい。
【０００４】
ただし、応用領域によっては、厚さが比較的厚い液晶層が必要であるが、駆動の問題に突き当たる。
【０００５】
ネマティック（ｎｅｍａｔｉｃ）液晶装置中、液晶装置の上昇時間Ｔriseと衰退時間Ｔｄｅｃａｙの、液晶ギャップｄ、回転の粘土γ、弾性係数Ｋ、スレショルド電圧Ｖｔｈ、バイアス電圧Ｖｂ及び総印加電圧Ｖの間の関係式は以下のとおりである。
【０００６】
【数１】
2008158525.tif 000003
【０００７】
【数２】
2008158525.tif 000004
【０００８】
ただし、もし液晶ギャップが３０μｍ、５０μｍ、１００μｍにまで増加するか、或いは更に高い時、反応時間は非常に遅くなり、さらに全ての液晶セルを切り換えることができなくなる。
【０００９】
図１及び図２は周知の液晶パネルの駆動方式を示す。そのうち、液晶パネル１のコモン電極２は、駆動回路３よりコモン電圧Ｖｃｏｍを入力される。該コモン電圧Ｖｃｏｍの波形は図２のようであり、コモン電圧Ｖｃｏｍが固定されていることを示し、それは液晶分子の特性に合わせ周期点が正常で５Ｖ或いは３．３Ｖである。
【００１０】
図２は周知のコモン電圧Ｖｃｏｍ、コモン電極の駆動方式を示す（Ｖｃｏｍ  ＡＣ  Ｍｏｄｕｌａｔｉｏｎ）。コモン電極電圧が固定されて不変であるとき、電極の最高電圧をコモン電極電圧の２倍以上にする必要がある。もしコモン電極電圧が５Ｖに固定されているなら、ソースドライバの提供する作業電圧範囲は１０Ｖ以上でなくてはならない。ただし、もしコモン電極の電圧が変動するなら、仮にコモン電極電圧が最大で５Ｖとすると、ソースドライバの最大作業電圧もただ５Ｖでよい。電圧の作業範囲が高くなるほど、回路の複雑度も高くなり、電力もこれにより高くなる。
【００１１】
液晶ギャップｄ厚さは上述の公式中、二乗されるため、反応時間は非常に遅くなる。反応時間の問題を解決する方法は液晶材料の回転の粘土γを減らし、液晶ギャップｄ厚さを減らし、更に高い電圧を印加することである。ただし、透過率が低くなり、コントラスト及び色分散が低くなるという欠点があり、更に厚さが比較的厚い液晶装置の応用において、更に多くのマイナス効果を付帯し、製品生産の需要に対応できない。
【００１２】
このほか、図３及び図４はもう一種のダブルデューティー電流（ＤＤＣ）駆動方法の波形図であり、この駆動信号波形は基本の交流駆動波形Ａ１と比較的小さい固定作業周囲の交流パルスＡ２を組み合わせてなり、液晶材料の切換時間を減らすことができる。ただしこのような表示データチャネル駆動方法は周知のオーバードライブ或いは前駆動方式とは異なり、このような周知は駆動方法は、固定の作業周期の交流パルスＡ２信号と基本の交流駆動波形Ａ１を採用し、これによりこのような駆動方法は重複して信号電圧の描写と修正信号波形Ａ３が必要で（図４）、その他の集積回路ＩＣにより実施される。且つ該コモン電圧Ｖｃｏｍ波形はシフトの現象を有し得て、マイナス面作用としては色シフト、非線形グレーレベル、色彩偏差、ちらつき及びその他の比較的劣った画面品質問題とされる。
【００１３】
このほか、関係する先行技術文献としては、例えば特許文献１があり、その方法は、その他の物質と材料をアルミ金属層と電極の間に介装しちらつきを防止し、例えば１層或いは多層の透明導電性材料と誘電体材料をアルミ反射層と逆方向電極（ｏｐｐｏｓｉｎｇ
ｅｌｅｃｔｒｏｄｅ）の間に配置する。反射金属層と逆方向電極材料はこの反射金属と逆方向電極を平穏な作業関数に接近させる。
【００１４】
ただし、この方法中、反射金属層材料には反射性が極めて高い材料（アルミ銀合金）を使用する必要があり、銀はＩＴＯ材料の作業関数範囲（４．７ｅＶ）に比べて、より広い作業関数範囲（４．３６ｅＶ〜４．７４ｅＶ）を有するが、銀は不安定で並びに処理しにくいため、アルミニウムが反射金属層の材料として最適であり、しかしアルミニウムの作業関数範囲（４．０６ｅＶ〜４．４１ｅＶ）はＩＴＯ材料の作業関数範囲（４．７ｅＶ）にマッチング不能である。
【００１５】
【特許文献１】米国特許第５，７６４，３２４号明細書
【発明の開示】
【発明が解決しようとする課題】
【００１６】
本発明は一種の液晶パネルの最適化駆動方法を提供し、それは特に液晶セルギャップの厚さが厚い液晶パネルの駆動に応用されて周知の方法に較べて２倍の反応時間を実現する方法であるものとする。
【００１７】
本発明の一種の液晶パネルの最適化駆動方法を提供し、それは駆動信号波形を改変する必要なく、また、重複して駆動信号電圧と修正信号波形を描く必要がない方法であるものとする。
【００１８】
本発明は一種の液晶パネルの最適化駆動方法を提供し、それは液晶セルギャップの液晶パネルのコモン電極上のコモン電圧Ｖｃｏｍ波形のシフトの補償が容易で、液晶パネルの表示品質を確保できる方法であるものとする。
【課題を解決するための手段】
【００１９】
本発明の液晶パネルの最適化駆動方法は、
（ａ）液晶パネルのコモン電極端に第１種の基本駆動信号を入力するステップであり、すなわち、厚い液晶セルギャップの液晶パネルのコモン電極に第１種基本駆動信号を入力するステップ、
（ｂ）液晶パネルのコモン電極に周期調整或いはグレーレベル調整可能な第２種の電源を入力するステップであり、すなわち、（ａ）のステップのコモン電極に第２種電源を入力し、この第２種電源は周期調整或いはグレーレベル調整可能な直流或いは交流電源とするステップ、
（ｃ）データ信号にＴＦＴ型データドライバを通過させるステップであり、すなわち、（ａ）のステップの厚い液晶セルギャップの液晶パネルのデータ信号にＴＦＴ型データドライバを通過させるステップ、
を包含したことを特徴とする、液晶パネルの最適化駆動方法としている。
【発明の効果】
【００２０】
本発明の液晶パネルの最適化駆動方法は、周期調整或いはグレーレベル調整可能な第２種直流或いは交流電源を液晶パネルのコモン電極に印加して駆動することにより、コモン電圧Ｖｃｏｍシフトの因子を最小として信号変換不要とし、且つデータ信号をＴＦＴ型データドライバを通すことで、液晶パネル中のアルミ金属層と電極間の作業関数を平穏に近づけてちらつき等の画像品質問題因子をなくし、これにより本発明の液晶セルギャップの厚さが厚い液晶パネルに快速な反応時間を達成させると共に、駆動信号波形の改変を不要とし、画像品質を最適化する。
【発明を実施するための最良の形態】
【００２１】
図５及び図６に示されるように、本発明の液晶パネルの最適化駆動方法は、ステップ１００から１２０を包含する。
ステップ１００：液晶パネルのコモン電極端に第１種の基本駆動信号を入力する。すなわち、厚い液晶セルギャップの液晶パネルのコモン電極に第１種基本駆動信号１０を入力する。この第１種基本駆動信号１０の波形は図６のようであり、この信号入力の方法は図１のようである。
ステップ１１０：液晶パネルのコモン電極に周期調整或いはグレーレベル調整可能な第２種の電源を入力する。すなわち、ステップ１００のコモン電極に第２種電源２０を入力する（図６の如し）。該第２種電源２０は周期調整或いはグレーレベル調整可能な直流或いは交流電源とする。
ステップ１２０：データ信号にＴＦＴ型データドライバを通過させる。ステップ１００の厚い液晶セルギャップの液晶パネルのデータ信号にＴＦＴ型データドライバを通過させ、すなわちディスプレイデータチャネル（ＤＤＣ）駆動方法と同様にする。
【００２２】
さらに、図７に示されるのは本発明の別の実施例であり、ＬＣＯＳ（Ｌｉｑｕｉｄ  Ｃｒｙｓｔａｌ  ｏｎ  ＳＩｌｉｃｏｎ）形態の厚い液晶セルギャップの液晶パネルに応用された状態を示す。このＬＣＯＳは二つの基本素子を組み合わせてなり、その一つはガラスで、もう一つはウエハである。作業方式はちらつき方式とは異なり、もし第１種基本駆動信号１０’の駆動周波数が６０ヘルツであれば、ちらつき周波数は３０ヘルツとなる。本発明の方法によると、該第２種電源２０’の作業周期を調整してシリコンバックライト板作業関数のコモン電極’シフト範囲を減らし、ほぼ１千ｍｖ範囲内とし、すなわち、本発明の方法はこのＬＣＯＳ形態の厚い液晶セルギャップの液晶パネルの駆動に応用されて、駆動信号波形を改変せずに、不必要な誤差性能の発生を防止できる。
【００２３】
さらに図８は本発明の厚い液晶セルギャップの液晶パネルの最適化駆動方法中の実際のデータ曲線比較図である。そのうち、図８中には反応時間対透過率の５５０μｍでの同性質液晶チップ駆動の反応時間データ曲線が描かれ、スレショルド電圧値は約５Ｖｒｍｓ（平方根値）とされ、液晶セルギャップはほぼ１．２５μｍで、垂直軸は透過率、水平軸は反応時間とされる。図中、円の点状部分の第１曲線Ｂ１は本発明の方法の駆動機能を代表し、三角部分の第２曲線Ｂ２は周知の駆動方法の駆動機能を代表し、それに関係する上昇時間Ｔｒｉｓｅ及び衰退時間Ｔｄｅｃａｙの主要な比較データは以下の表１のようである。
【００２４】
【表１】
2008158525.tif 000005
【図面の簡単な説明】
【００２５】
【図１】周知の液晶パネルの駆動構造表示図である。
【図２】周知の液晶パネルの駆動信号波形図である。
【図３】周知のディスプレイデータチャネル駆動方法の駆動信号波形図である。
【図４】周知のディスプレイデータチャネル駆動方法の重複して描いた信号電圧と修正信号波形図である。
【図５】本発明の液晶パネルの最適化駆動方法のフローチャートである。
【図６】図５の駆動信号波形図である。
【図７】本発明の別の実施例図である。
【図８】本発明の方法と周知の駆動方法の反応時間曲線図である。
【符号の説明】
【００２６】
１  液晶パネル              ２  コモン電極
３  駆動回路                Ｖｃｏｍ  コモン電圧
Ａ１  交流駆動波形          Ａ２  交流パルス
Ａ３  修正信号波形          Ｂ１  第１曲線
Ｂ２  第２曲線              １０  第１種基本駆動信号
２０  第２種電源            １０’第１種基本駆動信号
２０’第２種電源            Ｖｃｏｍ’コモン電圧
１００  液晶パネルのコモン電極に第１種基本駆動信号を入力
１１０  液晶パネルのコモン電極に周期調整或いはグレーレベル調整可能な第２種電源を入力
１２０  データ信号にＴＦＴ型データドライバを通過させる
【図１】
2008158525.tif 000006
【図２】
2008158525.tif 000007
【図３】
2008158525.tif 000008
【図４】
2008158525.tif 000009
【図５】
2008158525.tif 000010
【図６】
2008158525.tif 000011
【図７】
2008158525.tif 000012
【図８】
2008158525.tif 000013